(57)【要約】 【課題】  引戸を開く初期の段階に於いて、比較的重量のある引戸を、操作部材を引くだけの操作で、容易に開くことができること。【解決手段】  座板に手前側に操作するように設けられた操作部材、該操作部材に連動するように座板よりも内側に配設され、かつ、操作部材の操作力により移動する駆動部材、戸先側に固定的に設けられた収納箱、該収納箱に内装した蹴り出し機構を備え、引戸を手動で開く初期時に於いて、操作部材を操作すると、該操作部材の操作力を、駆動部材の駆動力及び蹴り出し機構の蹴り出し力に変換して前記収納箱から蹴り出し部材を戸枠側に対して突出させることを特徴とする戸アシスト装置。【選択図】  図６
2006046014.tif 000002
【特許請求の範囲】
【請求項１】
座板に手前側に操作するように設けられた操作部材、該操作部材に連動するように座板よりも内側に配設され、かつ、前記操作部材の操作力により移動する駆動部材、戸先側に固定的に設けられた収納箱、該収納箱に内装した蹴り出し機構を備え、引戸を手動で開く初期時に於いて、前記操作部材を操作すると、該操作部材の操作力を、前記駆動部材の駆動力及び前記蹴り出し機構の蹴り出し力に変換して前記収納箱から蹴り出し部材を戸枠側に対して突出させることを特徴とする戸アシスト装置。
【請求項２】
請求項１に於いて、操作部材は外側把手又は内側把手であり、これらの把手のいずれか一方を手前側に操作すると、該把手の操作に連動して駆動部材が上下方向に移動し、かつ、該駆動部材の駆動力により蹴り出し機構を構成する蹴り出し部材が戸枠側の受け部を押圧し、該押圧力が引戸に伝わって引戸を開く方向へ移動させることを特徴とする戸アシスト装置。
【請求項３】
請求項１に於いて、収納箱は戸先の内部に設けられ、蹴り出し部材は収納箱のフロントから突出することを特徴とする戸アシスト装置。
【請求項４】
請求項１に於いて、収納箱には、蹴り出し機構を構成する複数本のリンクと、該リンクの作動によって戸先から押し出される蹴り出し部材とから成ることを特徴とする戸アシスト装置。
【請求項５】
請求項１又は請求項４に於いて、駆動部材は、把手に連動するように座板の内壁面に沿って配設された第１駆動板と、該第１駆動板に連結手段を介して連結され、かつ、収納箱内のリンクに連結された第２駆動板とから成ることを特徴とする戸アシスト装置。
【請求項６】
請求項１に於いて、蹴り出し機構は複数本のリンクを含み、これらのリンクは、駆動部材に連動して開脚する共働リンクと、該共働リンクに連結され、かつ、共働リンクが開脚すると、蹴り出し部材を戸枠側に押し出す方向へ連動する押し出しリンクとから成ることを特徴とする戸アシスト装置。
【請求項７】
請求項１に於いて、レバー型の操作部材を手前側に引くと、駆動部材が上下方向へスライドし、該駆動部材の駆動力によりリンク及び蹴り出し部材を含む蹴り出し機構が作動することを特徴とする戸アシスト装置。
【請求項８】
請求項１に於いて、外側把手又は内側把手は、駆動部材及び蹴り出し機構を共用していることを特徴とする戸アシスト装置。
【請求項９】
請求項１に於いて、操作部材が座板の凹所内に引戸の壁面と略面一状態になるように収納されていることを特徴とする戸アシスト装置。
【請求項１０】
請求項１に於いて、戸アシスト補助装置Ｙが戸枠側に配設され、該戸アシスト補助装置Ｙは、蹴り出し部材に押圧される可動受け片と、該可動受け片を付勢する復帰バネとを有することを特徴とする戸アシスト装置。
【発明の詳細な説明】
【技術分野】
【０００１】
本発明は、手動で引戸を開ける場合に使用される戸アシスト装置に関する。
【背景技術】
【０００２】
特許文献１には、駆動モータを要件とする引戸を開き用装置に於いて、引戸を開く初期時、まずテコの原理を利用して引戸を開く装置（通称、「アシスト装置」）が開示されている。
【０００３】
すなわち、特許文献１には、「閉じ側にバネで付勢された引戸本体と、この引戸本体を開き側に駆動するモータと、引戸本体の開き動作を検出するセンサからの信号を受けてモータを起動する制御部を備えるパワーアシスト型引戸において、把手に働く力を増力して引戸本体を開く、テコ原理の増力機構を備えたパワーアシスト型引戸」が記載されている。
【０００４】
前記テコの原理の増力機構の一例（図４の実施例）は、把手３４を水平方向に操作すると、把手の先端部に固定的に設けた棒状の接続棒３５が、戸先３１の壁面の垂直ピン４３を中心に回動し、該接続棒３５の先端部に接続用の垂直ピン４２を介して連結された当接棒３７が、バネ部材４５のバネ力に抗して突出して戸枠３９の受け部を押圧し、その結果、引戸３１が開き動作をする（符号は特許文献１のもの）。
【０００５】
この実施例のテコ原理の増力機構は、上記接続棒３５が、把手３４にかけた力を、把手３４からピン４３までの距離に対するピン４３からピン４２までの距離の比の値を掛け合わせた力に増力して、この力を当接棒３７に伝えるものであるから、当接棒３７は、方立３９から、前記増力された力と同じ大きさの力を反作用として受ける。したがって、小さい力で引戸本体を開き動作させてモータを起動できるという利点がある。
【特許文献１】特開２００１−３１１３５８号公報
【発明の開示】
【発明が解決しようとする課題】
【０００６】
本発明の第１の目的は、引戸を開く初期の段階に於いて、比較的重量のある引戸を、操作部材を引くだけの操作で、容易に開くことができることである。第２の目的は、操作部材が邪魔に成らないことである。第３の目的は、収納箱を介して蹴り出し機構を引戸に簡単に取付けることができることである。第４の目的は、部品点数を減少させ、安価に製作することができることである。その他付随的な目的として、反力を利用してより簡単に引戸を開くことができると共に、耐久性の向上を図ることである。
【課題を解決するための手段】
【０００７】
本発明の戸アシスト装置は、座板に手前側に操作するように設けられた操作部材、該操作部材に連動するように座板よりも内側に配設され、かつ、前記操作部材の操作力により移動する駆動部材、戸先側に固定的に設けられた収納箱、該収納箱に内装した蹴り出し機構を備え、引戸を手動で開く初期時に於いて、前記操作部材を操作すると、該操作部材の操作力を、前記駆動部材の駆動力及び前記蹴り出し機構の蹴り出し力に変換して前記収納箱から蹴り出し部材を戸枠側に対して突出させることを特徴とする。
【０００８】
上記構成に於いて、操作部材は外側把手又は内側把手であり、これらの把手のいずれか一方を手前側に操作すると、該把手の操作に連動して駆動部材が上下方向に移動し、かつ、該駆動部材の駆動力により蹴り出し機構を構成する蹴り出し部材が戸枠側の受け部を押圧し、該押圧力が引戸に伝わって引戸を開く方向へ移動させることを特徴とする。その他の特徴は、各従属項にそれぞれ記載されている。
【発明の効果】
【０００９】
（１）請求項１に記載の発明は、操作部材が座板に対して手前側に操作するように設けられているので、特許文献１のように、操作部材が引戸の壁面から著しく突出しない。したがって、操作部材が邪魔に成らない。特に、請求項９に記載の発明のように、操作部材が座板の凹所内に引戸の壁面と略面一状態になるように収納されている場合には、網戸を操作部材側に配設しても、網戸を戸枠に対して完全に閉じる位置まで引くことができる。
【００１０】
また、請求項１に記載の発明は、操作部材に連動する駆動部材以外に、収納箱に内装した蹴り出し機構を備えているので、収納箱を介して蹴り出し機構を引戸に簡単に取付けることができると共に、少なくとも、把手と駆動部材との接続、連結、係合等の箇所で第１のテコ的原理を採用し、また、駆動部材と蹴り出し機構との接続、連結、係合等の箇所で第２のテコ的原理を採用することができるので、引戸が大型であっても（比較的重量がある場合でも）、容易に引戸を開く方向へ動かすことができる。
【００１１】
（２）請求項２に記載の発明は、外側把手又は内側把手のいずれか一方を手前側に操作すると、上下方向に移動する駆動部材の駆動力により、蹴り出し機構を構成する蹴り出し部材が戸枠側の受け部を押圧するから、前（１）の効果を得ることができる。
【００１２】
（３）請求項３に記載の発明は、収納箱は戸先に内部に設けられているから、邪魔にならず、また、美観上の観点からも優れている。
【００１３】
（４）請求項４乃至請求項７に記載の発明は、前（１）の効果を得ることができる。
【００１４】
（５）請求項８に記載の発明は、外側把手又は内側把手は、駆動部材及び蹴り出し機構を共用しているので、部品点数が減少し、安価に製作することができる。
【００１５】
（６）請求項１０に記載の発明は、戸アシスト補助装置Ｙが戸枠側に配設され、該戸アシスト補助装置Ｙは、蹴り出し部材に押圧される可動受け片と、該可動受け片を付勢する復帰バネとを有するので、アシスト補助装置Ｙの補助力（反力）を利用して引戸を容易に開けることができる。また、前記復帰バネが衝撃力を吸収することから、戸アシスト装置の耐久性が向上する。
【発明を実施するための最良の形態】
【００１６】
以下、図１乃至図１２に示す本発明を実施するための最良の形態により説明する。
【００１７】
（１）蹴り出し機構を含む戸アシスト装置
１は建物の開口部に配置されたサッシ型引戸で、この引戸１の戸先側（閉じ側）の端面１ａは、戸枠２の垂直な当り面２ａに当接可能である。Ｘは戸先側に設けられた蹴り出し機構を含む戸アシスト装置である。この戸アシスト装置Ｘは、戸先側の内部又は外部に設けることが可能である。本実施例では、引戸１がサッシ型であることから、戸アシスト装置Ｘの操作部材に連動する駆動部材１７及び収納箱２６に蹴り出し部材７を出没可能に内装した蹴り出し機構３２は、縦框３の内部４に組み込まれている（例えば図３，図４，図７参照）。
【００１８】
さて、引戸１は、手動で開ける時は、大型であればある程初期時に大きな力が必要であることから、戸アシスト装置Ｘが駆動モータなどと組み合わせて適宜に設けられている。本実施例の戸アシスト装置Ｘは、外側把手５又は内側把手６を手前側に引くと、その把手５，６の操作力が、少なくともリンク（共働リンク３４，３９又は／及び押し出しリンク３６）と蹴り出し部材７（蹴り出し片又は／及び蹴り出しバネ）を含む蹴り出し機構３２を介して引戸１を開く駆動力に置換（変換）する。
【００１９】
ここでの戸アシスト装置Ｘは、蹴り出し機構３２を含む広い概念である。したがって、戸アシスト装置Ｘは、少なくとも１本以上のリンク或いは駆動アームを主とする蹴り出し機構の他に、把手、把手の操作力で作動する駆動部材、その他把手の操作力を引戸１の開き動作に置換するために必要な部材が任意に含まれる。
【００２０】
本実施例では、図２に内外の把手５，６が示されているが、内外の把手５，６の両方が発明の必須要件ではない。外側把手５を操作した場合の実施例と、内側把手６を操作した場合の実施例と、内外の把手が一組の駆動部材１７ないし蹴り出し機構３２を共用する各実施例が、実際の商品化レベルに合わせ、まとめて記載されている。
【００２１】
したがって、サッシ型戸枠２の内部に、他の発明（戸アシスト補助装置Ｙ）も図示されている。なお、戸枠２側の戸アシスト補助装置Ｙに関しては、従属的に権利を要求するものの、本発明の限定要件ではない。
【００２２】
本発明の戸アシスト装置Ｘは、レバー型の外側把手５を上方又は下方から手前側に引くと、単数又は複数個の駆動板と単数又は複数個のリンクを介して蹴り出し部材７を戸先側端面１ａ（縦框３の内部４）から戸枠側の当り部（戸枠と別個の部材の当たり部も含む）に対して押し出す。
【００２３】
蹴り出し部材７は、閉戸時、多少の間隙を有して又は間隙を有さないで戸枠２側の当り部（例えば戸枠の垂直面）２ａに対面していることから、蹴り出し部材７が収納箱２６内の蹴り出し機構３２によって押し出されると、その端面が戸枠１の当り部２ａに直接又は間接的（戸アシスト補助装置Ｙを有する場合には、その可動受け片５４や復帰バネ５５）に当たる。
【００２４】
その結果、蹴り出し部材７の蹴る力がそのまま引戸１に伝わり、操作部材５，６の小さな操作（手動）力が引戸１の開き動作となる。したがって、実施例如何によって図示しない駆動モータが加味されている場合には、駆動モータに対する初期時の負荷が減少され、或いは把手を操作したまま引戸１を全開できる場合には、初期時に楽に開扉することが可能になる。その意味で、本明細書では「戸アシスト装置」と称している。
【００２５】
また、本実施例の戸アシスト装置Ｘを構成する駆動部材１７、リンク３４，３９，３６、蹴り出し部材７は、「一組」であるが、外側把手５と内側把手６の共用部材であることから、外側把手５又は内側把手６のいずれか一つを、例えば下側から手前側に引くと、外側座板に沿って下方方向へスライドする第１駆動板１８、該第１駆動板の上端部に連結された第２駆動板１９、第２駆動板に連結された蹴り出し機構３２を介して置換された蹴り出し力で引戸１が所定量開く。この場合望ましくは、戸アシスト補助装置Ｙ、又は戸アシスト装置Ｘに設けたバネ部材のバネ力を利用する。以下、戸アシスト装置Ｘの構成部材をさらに詳しく説明する。
【００２６】
（２）外側座板と外側把手５との関係
ここでは、外側把手５を操作する場合を一例にして説明し、内側把手６については、内側座板に対する取付け方（特徴部分）を簡単に説明する。
【００２７】
縦長状の外側座板１１は、図１及び図２で示すように、引戸１の戸先側（閉じ側）の外壁面に垂直状態に装着され、かつ、引戸１の内壁面に同様に装着された縦長状の内側座板１２と図示しない固着具を介して一体化される。
【００２８】
図２に示すように、内側座板１２は凹所１２ａ状に形成され、かつ、内側把手６は、引戸１の内壁面と略面一状態になるように前記凹所１２ａに回動自在に内装されている。したがって、内側座板１２は引戸１内に組み込まれているのに対し、外側座板１１は、外側把手５の基部（図２では上端部）側を包む角型筒状のカバー部１３を有し、かつ、該カバー部１３は引戸１の外壁面から突出している。
【００２９】
上記相違は、図示しない網戸を内側に配置するか否かに基づくものである。本実施例では、室内側に図示しない網戸を配置することから、内側座板１２は凹所１２ａ状に形成され、その中１２ａに内側把手６が回動可能に内装されている。もちろん、屋外側に網戸を配置する場合には、屋外側の外側座板１１に凹所１２ａを形成し、図２とは逆の態様になる。
【００３０】
さて、筒状カバー部１３の内部には、垂直方向に軸受け板１４が設けられている。またカバー部１３の内壁面には、外側把手５の係合突起５ｃが嵌入する開口が適宜に形成されている。外側座板１１に関係する外側把手５は、図面上、上方に位置する幅広基部５ａが横軸１５を介して軸受け板１４に軸支され、前記基部１１ａに連設する細幅の握り部５ｂは、下方に指向している。
【００３１】
したがって、本実施例の外側把手５は、軸受け板１４及び横軸１５を介して外側座板１１のカバー部１３内に軸支されていると共に、細幅の握り部５ｂに手を差込み、手前側に引くことができる。
【００３２】
外側把手５の幅広基部５ａの内端面には、図６で示すように上下方向にスライド可能な第１駆動板１８の係合受け部（突起、溝、穴など）２０に係合する係合突起５ｃを有している。本実施例では、外側把手５の握り部５ｂを引くと、外側把手５は横軸１５を支点に回転するから、第１駆動板１８の突片状係合受け部２０を下方方向に押し込む格好となる。したがって、外側把手５の操作に連動して第１駆動板１８は下方に移動する（図８，図９参照）。
【００３３】
なお、外側把手５並びに外側座板１１のカバー部１３には、外側把手５を初期位置に戻すための復帰バネが、例えば横軸１５に巻装した状態で設けられているが、発明の限定的要件ではないので省略してある。
【００３４】
（３）戸アシスト装置Ｘの駆動部材
戸アシスト装置Ｘの駆動部材１７は、外側把手５の係合突起５ｃが係合する大きい第１駆動板１８と該第１駆動板の上端部に連結手段２２，２３を介して一体的に連結された小さい第２駆動板１９とから成る。
【００３５】
しかして、前記第１駆動板１８は、図３では、外側座板１１よりも内側に配設され、該外側座板１１の内壁面に沿って設けられている。そして、第１駆動板１８は、断面或いは端面Ｌ形の左右一対の垂直ガイドにスライド可能に挟まれている。この第１駆動板１８は、図６の概略で示すように、断面チャンネル形状に形成され、下部側には内側把手６の係合突起６ｃが係合する縦長透孔２１を有する。一方、第１駆動板１８の上端部側には、断面チャンネル形状の第２駆動板１９の下端部に形成された連結孔２３に嵌入する連結突起２２が設けられている。
【００３６】
ところで、図２で示すように、本実施例の第１駆動板１８は、外側座板１１の内壁面に添設状態に設けられているのに対して、第２駆動板１９は、後述する蹴り出し機構用収納箱２６側に設けられ、水平案内長孔２４を有する上端部側は縦框３内の収納箱２６内に入り込んでいる。そこで、蹴り出し機構３２を説明する前に、収納箱２６の構造を説明する。
【００３７】
（４）収納箱２６と蹴り出し機構３２との関係
図６は収納箱２６の具体的構成を示す。収納箱２６は、例えば錠箱のケース身に相当するケース本体２７と、このケース本体２７に複数個の第１固着具３０を介して固定されるケース蓋２８と、前記ケース本体２７の取付け前板２７ａに複数個の第２固着具３１を介して固定されるフロント２９とから成る。
【００３８】
しかして、前記ケース本体２７には、オネジを有する水平螺杆、傾斜状の軸案内部、蹴り出し部材用の水平案内部や駆動板用の案内切欠部、ネジ孔等が形成されている。また、ケース蓋２８及びフロント２９にも必要に応じて取付け螺杆に対応する貫通孔、傾斜状の案内部等が形成されている。そこで、図６を基準にして蹴り出し機構３２に関係する各部位を説明する。
【００３９】
まず、３３はケース本体２７の内壁に水平状態に設けられた第１固定支軸で、この第１固定支軸３３には、蹴り出し機構３２の第１共働リンク３４の一端部（図６では下方）の軸孔３４ａが外嵌合すると共に、第１固着具３０が螺合する（図５参照）。
【００４０】
次に３５はケース本体２７の内壁に前記第１固定支軸３３に離間して、かつ、該第１固定支軸３３よりも下位の部位に水平状態に設けられた第２固定支軸で、この第２固定支軸３５には、共働リンク３４，３９よりも長い押し出しリンク３６の一端部（図６では下方）の軸孔３６ａが外嵌合すると共に、第１固着具３０が螺合する。
【００４１】
次に３７はケース本体２７及びケース蓋２８に対向するように形成された傾斜状案内長孔で、これらの案内長孔３７には、前述した第１共働リンク３４に貫通状態に固定された可動軸３８が係合する。この可動軸３８の手前側の突起部分は、前述した第２駆動板１９の水平案内長孔２４にも係合する。一方、可動軸３８の向こう側の突起部分は第２共働リンク３９の一端部の軸孔３９ａ（図６では上方）に入り込み、共働リンク３４，３９の連結機能及び枢軸機能を果たす。
【００４２】
次に４０ａはケース本体２７の取付け前板２７ａに形成された蹴り出し部材７用の案内切欠部で、この案内切欠部４０ａはフロント２９の矩形状窓部４０ｂと連通する。一方、４２はケース本体２７の底壁に形成された第２駆動板１９用の案内切欠部である。その他、ケース本体２７の各壁には、ケース蓋２８の一端部に突設した合わせ用突起部分２８ａ，２８ａが入り込む切欠部、蹴り出し部材７の突起部分７ａを案内する水平案内長孔４１等が形成されている。また、蹴り出し部材７用引っ張りばね４３の後端部を掛け止めることができる取付け螺杆部（バネ端取付け部）４４が水平状態に設けられている。
【００４３】
ところで、収納箱２６は錠箱に似て非なるものである。したがって、蹴り出し部材７も、その先端部の形状がデッドボルトに似ているものの、ストライクに対する施錠手段に利用される訳ではないから、似て非なるものである。収納箱２６や蹴り出し部材７は次に説明する蹴り出し機構３２を構成する部材である。
【００４４】
（５）蹴り出し機構３２
蹴り出し機構３２は、駆動部材１７に連動する共働リンク３４，３９と、該共働リンクの開脚作動によって蹴り出し部材７を戸枠２側に押し出す方向へ連動する押し出しリンク３６と、引っ張りばね４３のバネ力に抗して収納箱２６から勢い良く飛び出る蹴り出し部材７とから成る。
【００４５】
しかして、前記共働リンク３４，３９は、第１固定支軸３３を支点に傾倒状態から水平状態へと回転する第１共働リンク３４と、該第１共働リンク３４の他端部の軸孔（図６では上方）３４ｂに第１共働リンク３４と共働するように可動軸３８を介して連結された第２共働リンク３９とから構成されている。
【００４６】
一方、前記押し出しリンク３６は、前記第２共働リンク３９の他端部の軸孔３９ｂ（図６では下方）と中央部寄りの軸孔３６ｂの両孔に位置する連結軸４６を介して連結され、かつ、第２固定支軸３５を支点に蹴り出し部材７を押し出す方向へ回転可能である（図９参照）。そのために、押し出しリンク３６の他端部（図の上方）の軸孔３６ｃ及び蹴り出し部材７の後端部の軸孔７ｂには、やや長杆状の水平可動軸４７が位置している。水平可動軸４７は押し出しリンク３６と蹴り出し部材７を連結する機能及び枢支する機能を発揮する。なお、支点となる孔は、第１共働リンク３４の一端部側の軸孔３４ａと押し出しリンク３６の一端部の軸孔３６ａである。
【００４７】
最後に、蹴り出し部材７は、デッドボルトのようにブロック状に形成され、外側把手５を手前側に引くと、駆動部材１７、共働リンク３４，３９、押し出しリンク３６で構成されている動力置換手段により、引っ張りばね４３のバネ力に抗して収納箱２６から勢い良く飛び出し、本実施例では、戸アシスト補助装置Ｙの可動受け片５４の前面を勢い良く押圧する。蹴り出し部材７の後端部には、引っ張りばね４３の先端部を引っ掛けるための突片状のバネ端取付け部７ｃが設けられている。
【００４８】
（６）戸アシスト補助装置Ｙ
ところで、戸アシスト補助装置Ｙは、本発明の特定要件に関連する加味的事項であるが、該戸アシスト補助装置Ｙは、戸枠２側に配設され、戸枠２内に設けられた断面ハット型形状の収納ケース５２と、該収納ケース５２の前面に固定され、かつ、蹴り出し部材７が入り込むのを許容する開口部を有する前面板５３と、断面逆コ字状の可動受け片５４と、該可動受け片５４を前面板５３の方向へ付勢する復帰バネ５５とを有する。そして、前記収納ケース５２の内壁面には、可動受け片５４用の水平カイド５６が設けられている。
【００４９】
（７）作用
図７乃至図９は、外側把手１１を手前側に引いた場合に、該外側把手１１に連動する駆動部材１７及び蹴り出し機構３２の作用の説明図である。本実施例では、戸アシスト装置Ｘに戸アシスト補助装置Ｙを加味して図示している。したがって、引戸１は戸アシスト補助装置Ｙの反力を利用して開く方向へ動く。
【００５０】
図７は外側把手５（又は内側把手６）を操作する前の駆動部材１７及び蹴り出し機構３２の初期状態の説明図である。この初期状態の時は、蹴り出し機構３２を構成する共働リンク３４，３９は山形状の格好をしており、一方、押し出しリンク３６は第２固定支軸３５よりも左側に傾倒している。したがって、蹴り出し部材７は収納箱２６内に後退している。付言すると、図７に於いて、第１駆動板１８の透孔２１内に位置する下方の左断面部分が外側把手５の係合突起５ｃであり、これに対して、下方の右断面部分が内側把手６の係合突起６ｃである。
【００５１】
そこで、今仮に、図８で示すように、レバー型の外側把手５を引くと、外側把手５は、矢印で示す右図のように、横軸１５を支点に握り部が開く方向（図８では時計方向）に回転する。そうすると、基部５ａの係合突起５ｃは、第１駆動板１８を押し下げる。
【００５２】
図９の左側の図は、外側把手５の操作に連動して、駆動部材１７が矢印で示すように下方にスライド下降し、また、同時に駆動部材１７の駆動力により、共働リンク３４，３９が水平状態に開脚し、さらに、共働リンク３４，３９に連動する押し出しリンク３６によって、同時に蹴り出し部材７が引っ張りばね４３のバネ力に抗して瞬間的に押し出され、蹴り出し機構３２のベクトルが、矢印で示すように戸アシスト補助装置Ｙにかかった場合の状態を示している。この実施例の場合には、蹴り出し機構３２の蹴り出し力は、戸アシスト補助装置Ｙを構成する可動受け片５４と復帰バネ５５に加わるから、可動受け片５４は復帰バネ５５のバネ力に抗して後退する。
【００５３】
図９の右側の図は、戸アシスト補助装置Ｙの反力が作用し引戸１が自動的に開いた場合の状態を示している。図１２は内側把手１２を操作した場合の説明図である。内側把手１２を操作した場合も、駆動部材１７及び蹴り出し機構３２を共用していることから、図９と同様になる。
【００５４】
このように、本発明の戸アシスト装置Ｘは、座板１１，１２に手前側に操作するように設けられた操作部材５，６に連動するように座板１１，１２よりも内側に配設され、かつ、前記操作部材１１，１２のいずれかの操作力により移動する駆動部材１７と、該駆動部材１７に連動するように引戸の戸先の内部又は外付された収納箱２６内の蹴り出し機構３２の蹴り出し力によって、引戸が戸アシスト補助装置Ｙを介して、又は介さないで所望量開く。換言すれば、引戸１を手動で開く初期時に於いて、操作部材５，６を操作すると、該操作部材の操作力を、駆動部材１７の駆動力及び蹴り出し機構３２の蹴り出し力に変換して収納箱２６から蹴り出し部材７を戸枠２側に対して突出させる。
【実施例】
【００５５】
発明の実施の形態で示した実施例に於いて、本発明に戸アシスト補助装置Ｙを組み合わせで説明しているが、戸アシスト補助装置Ｙの反力を利用しなくても、戸アシスト装置Ｘそれ自体で立派に新規な発明を構成している。したがって、戸アシスト補助装置Ｙを用いないで、蹴り出し機構３２の蹴り出し部材７を直接戸枠２側の受け部２ａに押圧しても良い。また、蹴り出し部材の衝撃力を吸収する方法は、任意に設計変更可能である（例えば蹴り出し部材７そのものに設ける構造）。
【００５６】
また、実施例に於いて、内側把手用の座板１２の外壁面は凹所１２ａ状に形成されているが、この凹所１２ａは網戸を全閉位置まで引けるようにするために形成したものであるから、外側把手５又は内側把手６用の座板１１，１２のいずれかに形成すれば十分である。
【産業上の利用可能性】
【００５７】
本発明は、主に建具や錠前の業界で利用される。
【図面の簡単な説明】
【００５８】
図１乃至図１２は本発明の最良の実施例を示す各説明図。
【図１】外側把手の正面視からの概略説明図（本発明の主要部と他の発明を一部概略断面で示している）。
【図２】内外の座板、内外の把手、駆動部材、収納箱等を断面で示した概略断面説明図。
【図３】図１の３−３線概略断面説明図。
【図４】図１の４−４線概略断面説明図。
【図５】外側把手の正面視からの拡大概略断面説明図。
【図６】本発明の主要部の分解斜視図。
【図７】外側把手（又は内側把手）を操作する前の駆動部材及び蹴り出し機構の初期状態の説明図。
【図８】外側把手を操作した場合の説明図。
【図９】外側把手を操作した場合の作用・効果の説明図。
【図１０】内側把手の正面視からの概略説明図。
【図１１】図１０の１１−１１線断面図。
【図１２】内側把手を操作した場合の説明図。
【符号の説明】
【００５９】
Ｘ…戸アシスト装置、Ｙ…戸アシスト補助装置、1…引戸、２…戸枠、３…縦框、４…内部、５…外側把手、５ａ…基部、５ｃ，６ｃ…係合突起、６…内側把手、７…蹴り出し部材、１１…外側座板、１２…内側座板、１２ａ…凹所、１３…カバー部、１４…軸受け板、１７…駆動部材、１８…第１駆動板、１９…第２駆動板、２０…係合受け部、２１…透孔、２２，２３…連結手段、２６…収納箱、２７…ケース本体、２８…ケース蓋、２９…フロント、３０…第１固着具、３２…蹴り出し機構、３３…第１固定支軸、３５…第２固定支軸、３６…押し出しリンク、３７…傾斜状案内長孔、３８…可動軸、３４，３９…共働リンク、４１…水平案内長孔、４３…引っ張りばね、４６…連結軸、５４…可動受け片、５５…復帰バネ。
【図１】
2006046014.tif 000003
【図２】
2006046014.tif 000004
【図３】
2006046014.tif 000005
【図４】
2006046014.tif 000006
【図５】
2006046014.tif 000007
【図６】
2006046014.tif 000008
【図７】
2006046014.tif 000009
【図８】
2006046014.tif 000010
【図９】
2006046014.tif 000011
【図１０】
2006046014.tif 000012
【図１１】
2006046014.tif 000013
【図１２】
2006046014.tif 000014